(57)【要約】【課題】  携帯電話機器と電子機器とを接続するケーブルのコネクタを保護しつつ収納でき、使用しないときにはストラップ紐として使用でき携行できる、通信ケーブル収納用ストラップの提供。【解決手段】  ケーブル両端に第１のコネクタ及び第２のコネクタを備えた通信ケーブルと、ケーブルを通す第１の穴及び第２の穴を備え、コネクタを収納する収納体とから構成する。第１の穴、第２の穴は収納体の上面部に設ける。下面部には第１のコネクタを収納する第１のコネクタ収納部、第２のコネクタを収納する第２のコネクタ収納部を設け、それぞれの穴と連結される。第１の穴に通された通信ケーブル先端の第２のコネクタ側を、収納体上面から前記第２の穴に通し、次いで収納体上面から挿入した前記第２のコネクタを収納体下面に形成された第２のコネクタ収納部に収納・固定し、さらに収納体下面に形成された第１のコネクタ収納部に前記第１のコネクタを収納する。【選択図】  図１４
2016182200.tif 000002
【特許請求の範囲】
【請求項１】
携帯電話機器と電子機器とを接続するケーブル両端に、第１のコネクタ及び第２のコネクタを備えた通信ケーブルと、
前記第１のコネクタ及び通信ケーブルを通す第１の穴及び第２の穴を備え、前記第１のコネクタ及び第２のコネクタを収納する収納体とから構成され、
前記第１の穴は収納体の上面部に設けられ、通信ケーブルが通されるとともに、第１のコネクタを通すことが不可能な断面形状に形成されるとともに、第１の穴に連結して、前記収納体の下面部には第１のコネクタを収納する第１のコネクタ収納部が形成され、
前記第２の穴は収納体の上面部に設けられ、第２のコネクタを通すことが可能なように、第２のコネクタの断面形状に対応した断面形状に形成されるとともに、第２の穴に連結して前記収納体の下面部には第２のコネクタ収納部が形成され、
第１の穴に通された通信ケーブル先端の第２のコネクタ側を、収納体上面から前記第２の穴に通し、次いで収納体上面から挿入した前記第２のコネクタを収納体下面に形成された第２のコネクタ収納部に収納し、
さらに収納体下面に形成された第１のコネクタ収納部に前記第１のコネクタを収納し、
第１コネクタ及び第２のコネクタが各コネクタ収納部に固定され、収納体に通信ケーブルが収納された状態で、収納体の上面部から輪状になった通信ケーブルをストラップ紐として使用可能なことを特徴する、通信ケーブル収納用ストラップ。
【請求項２】
前記第１の穴は、通信ケーブルが通されるとともに、第１のコネクタを通すことが不可能な断面形状に形成され、
前記第１のコネクタ収納部は、第１のコネクタの形状に対応して形成され、
前記第１のコネクタは、収納体上面側からケーブルを引っ張った際に、第１のコネクタ収納部に収納され固定されることを特徴とする、請求項１に記載の通信ケーブル収納用ストラップ。
【請求項３】
前記第２の穴は、第２のコネクタを通すことが可能なように、第２のコネクタの断面形状に対応した断面形状に形成され、
前記第２のコネクタ収納部は、第２のコネクタの形状に対応して収納時に固定されるように形成されるとともに、
前記第２のコネクタが前記第２の穴を通ることなく、収納体上面側からケーブルを引っ張った際に収納され固定されるように、前記第２のコネクタ収納部には、収納時において第２のコネクタを通すことが不可能な断面形状を有するコネクタ保持部が設けられたことを特徴とする、請求項１または２のいずれかに記載の通信ケーブル収納用ストラップ。
【請求項４】
前記第２の穴は、断面形状において短辺と長辺とを有する第二のコネクタに対応した断面形状に形成され、
前記コネクタ保持部は、第２のコネクタ収納部に第２のコネクタを収納する際に、第２のコネクタの角度を変えて短辺と長辺との位置を変化させることにより、第２の穴に第２のコネクタを通すことを不可能にするとともに、第２のコネクタの形状に対応して収納時に固定されるように形成されたことを特徴とする、請求項３に記載の通信ケーブル収納用ストラップ。
【請求項５】
第２のコネクタ収納部に第２のコネクタを収納する際に、第１の穴に通された通信ケーブル先端の第２のコネクタ側を、収納体上面から前記第２の穴に通し、次いで前記第２のコネクタを収納体下面からいったん外に出し、第２のコネクタの角度を変えて短辺と長辺との位置を変化させ、次いで収納体上面側からケーブルを引っ張ることにより第２のコネクタを第２のコネクタ収納部に設けられたコネクタ保持部に収納時に固定されるようにしたことを特徴とする、請求項４に記載の通信ケーブル収納用ストラップ。
【請求項６】
前記収納体は、少なくとも第１のコネクタ収納部および第２のコネクタ収納部において、第１及び第２のコネクタが保持し固定されるように、弾性体からなることを特徴とする、請求項１〜５のいずれかに記載の通信ケーブル収納用ストラップ。
【発明の詳細な説明】
【技術分野】
【０００１】
本発明は、携帯電話機器と電子機器とを接続するケーブルを、両端に設けられたコネクタを保護しつつ収納するとともに、通信ケーブルを使用しないときにはストラップ紐として使用でき、置き忘れたりしないように携行できる、通信ケーブル収納用ストラップに関するものである。
【背景技術】
【０００２】
近年、パーソナルコンピュータなどの電子機器、携帯電話、各種の携帯情報機器に続き、スマートフォン、タブレット端末などの携帯電子機器の普及が目覚しい。
これらスマートフォンなどの機能が高性能化するに従い、取り扱うデータも増えるが、一方でデータの同期や、保管のために、携帯機器のデータをパーソナルコンピュータ等に保存したり、データを同期させたりするために、通信ケーブルで接続する場合がある。
また、これらを携帯して使用するためには電源が不可欠であり、電池の性能も向上してはいるものの、充電ができるように気にしなければならない。
【０００３】
このため、たとえばＵＳＢ端子などのコネクタをパーソナルコンピュータ等に接続し、そこから電源をとって充電ができるように、電源やケーブルの機能も向上し、そのための通信ケーブルも普及してきている。
しかしながら、必要な時にいつでも充電をしたり、データの同期・保管などをしたりするためには、通信ケーブルをスマートフォンなどの携帯電子機器とともに持ち歩かなければならない。
これら通信ケーブルは、普段は使用しないため、いつでも携行するものとしては邪魔であり、また紛失したり、知らずに傷つけてしてしまったりするおそれがある。
【先行技術文献】
【特許文献】
【０００４】
【特許文献１】特開２００４−０７９９７１
【０００５】
特開２００４−０７９９７１「通信ケーブル収納用ストラップ具」においては、外出する際にケーブルを持ち忘れるのを防止することができる通信ケーブル収納用ストラップ具が開示されている。
上記発明は、携帯電子機器及び電子機器と接続する第１のコネクタ及び第２のコネクタをケーブル両端に設けた通信ケーブル体と、携帯電話機器又は電子機器に取付ける紐部を有する収納体とを備え、紐部を介して携帯電話機器又は電子機器に取付けた収納体に備える収納室に第１コネクタ及び第２のコネクタを収納して固定したケーブル体の輪状をなすケーブルを、使用者の身体又は携行品の一部に吊り下げるストラップの紐として用いたものである。
【発明の概要】
【発明が解決しようとする課題】
【０００６】
上記発明は、ケーブルを携行品等に吊り下げるストラップとして利用するため、携行する際に邪魔にならず、紛失もしにくいようにされている。
しかしながら、前記発明において、ケーブルを保持するための固定保持手段は、ケーブル体の各コネクタを収納体の各収納室に挿入すると、自動的に固定又は保持するロック状態となるように構成するとともにワンタッチでロック解除するようにしたものであり、ケーブルを保持・固定するための構造が複雑である。そのため、ケーブルを保持・固定するための部材が嵩張ってしまい、サイズが大きくなり、製造コストもかかる。
また、ケーブルを保持・固定するための部材自体が壊れやすく、携行する際に取り扱いに気を使わなければならない。
さらに、ケーブルを使用する際には、箱状の収納室からケーブルを取り出して使うので、収納室が設けられた紐部と、ケーブルとが分離してしまい、紛失のおそれがある。
【０００７】
そこで本発明においては、上記課題を解決し、携帯電話機器と電子機器とを接続するケーブルを、両端に設けられたコネクタを保護しつつ収納するとともに、通信ケーブルを使用しないときにはストラップ紐として使用でき、置き忘れたりしないように携行できる、通信ケーブル収納用ストラップを提供することを目的とする。
【０００８】
上記課題を解決するため、請求項１に記載の発明は、携帯電子機器と電子機器とを接続するケーブル両端に、第１のコネクタ及び第２のコネクタを備えた通信ケーブルと、
前記第１のコネクタ及び通信ケーブルを通す第１の穴及び第２の穴を備え、前記第１のコネクタ及び第２のコネクタを収納する収納体とから構成され、
前記第１の穴は収納体の上面部に設けられ、通信ケーブルが通されるとともに、第１のコネクタを通すことが不可能な断面形状に形成されるとともに、第１の穴に連結して、前記収納体の下面部には第１のコネクタを収納する第１のコネクタ収納部が形成され、
前記第２の穴は収納体の上面部に設けられ、第２のコネクタを通すことが可能なように、第２のコネクタの断面形状に対応した断面形状に形成されるとともに、第２の穴に連結して前記収納体の下面部には第２のコネクタ収納部が形成され、
第１の穴に通された通信ケーブル先端の第２のコネクタ側を、収納体上面から前記第２の穴に通し、次いで収納体上面から挿入した前記第２のコネクタを収納体下面に形成された第２のコネクタ収納部に収納し、
さらに収納体下面に形成された第１のコネクタ収納部に前記第１のコネクタを収納し、
第１コネクタ及び第２のコネクタが各コネクタ収納部に固定され、収納体に通信ケーブルが収納された状態で、収納体の上面部から輪状になった通信ケーブルをストラップ紐として使用可能な、通信ケーブル収納用ストラップであることを特徴とする。
【０００９】
これにより、ケーブルを使用する際に、通信ケーブル収納用ストラップが分離することなく、紛失のおそれをなくしつつ、携帯電子機器と電子機器とを接続するケーブルを、両端に設けられたコネクタを保護しつつ収納するとともに、通信ケーブルを使用しないときにはストラップ紐として使用でき、置き忘れたりしないように携行できる、通信ケーブル収納用ストラップを提供することができる。
【００１０】
また、請求項２に記載の発明は、前記第１の穴は、通信ケーブルが通されるとともに、第１のコネクタを通すことが不可能な断面形状に形成され、
前記第１のコネクタ収納部は、第１のコネクタの形状に対応して形成され、
前記第１のコネクタは、収納体上面側からケーブルを引っ張った際に、第１のコネクタ収納部に収納され固定される、請求項１に記載の通信ケーブル収納用ストラップであることを特徴とする。
【００１１】
また、請求項３に記載の発明は、前記第２の穴は、第２のコネクタを通すことが可能なように、第２のコネクタの断面形状に対応した断面形状に形成され、
前記第２のコネクタ収納部は、第２のコネクタの形状に対応して収納時に固定されるように形成されるとともに、
前記第２のコネクタが前記第２の穴を通ることなく、収納体上面側からケーブルを引っ張った際に収納され固定されるように、前記第２のコネクタ収納部には、収納時において第２のコネクタを通すことが不可能な断面形状を有するコネクタ保持部が設けられた、請求項１または２のいずれかに記載の通信ケーブル収納用ストラップであることを特徴とする。
【００１２】
これにより、ケーブルを保持・固定するための構造を単純にすることができ、ケーブルを保持・固定するための部材を小さくすることができ、製造コストも安くすることができる。また、ケーブルを保持・固定するための部材自体が壊れにくく、携行する際の取り扱いも簡単にすることができる。
【００１３】
また、請求項４に記載の発明は、前記第２の穴は、断面形状において短辺と長辺とを有する第二のコネクタに対応した断面形状に形成され、
前記コネクタ保持部は、第２のコネクタ収納部に第２のコネクタを収納する際に、第２のコネクタの角度を変えて短辺と長辺との位置を変化させることにより、第２の穴に第２のコネクタを通すことを不可能にするとともに、第２のコネクタの形状に対応して収納時に固定されるように形成された、請求項３に記載の通信ケーブル収納用ストラップであることを特徴とする。
【００１４】
また、請求項５に記載の発明は、第２のコネクタ収納部に第２のコネクタを収納する際に、第１の穴に通された通信ケーブル先端の第２のコネクタ側を、収納体上面から前記第２の穴に通し、次いで前記第２のコネクタを収納体下面からいったん外に出し、第２のコネクタの角度を変えて短辺と長辺との位置を変化させ、次いで収納体上面側からケーブルを引っ張ることにより第２のコネクタを第２のコネクタ収納部に設けられたコネクタ保持部に収納時に固定されるようにした、請求項４に記載の通信ケーブル収納用ストラップであることを特徴とする。
【００１５】
これにより、コネクタを収納する作業が誰でも簡単にできるとともに、作業者が特に意識することもなく、収納状態においてコネクタを保護することができる。
【００１６】
また、請求項６に記載の発明は、前記収納体は、少なくとも第１のコネクタ収納部および第２のコネクタ収納部において、第１及び第２のコネクタが保持し固定されるように、弾性体からなる、請求項１〜５のいずれかに記載の通信ケーブル収納用ストラップであることを特徴とする。
【００１７】
これにより、コネクタの保持・固定がより確実になるとともに、収納状態においてコネクタを保護することもより確実になる。
さらに、収納体自体は、様々な材質、形状、大きさのものを採用することができるので、機能のみに特化したできるだけ小さいものから、収納体をたとえばキャラクターグッズなどとして形成したり、他の機能をさらに持たせた物としたりして、様々な商品に応用することもできる。
【発明の効果】
【００１８】
本発明によれば、ケーブルを使用する際に、通信ケーブル収納用ストラップが分離することなく、紛失のおそれをなくしつつ、携帯電話機器と電子機器とを接続するケーブルを、両端に設けられたコネクタを保護しつつ収納するとともに、通信ケーブルを使用しないときにはストラップ紐として使用でき、置き忘れたりしないように携行できる、通信ケーブル収納用ストラップを提供することができる。
さらに本発明によれば、ケーブルを保持・固定するための構造を単純にすることができ、ケーブルを保持・固定するための部材を小さくすることができ、製造コストも安くすることができる。また、ケーブルを保持・固定するための部材自体が壊れにくく、携行する際の取り扱いも簡単にすることができる。
また、コネクタの保持・固定がより確実になるとともに、収納状態においてコネクタを保護することもより確実になる。
さらに、収納体自体は、様々な材質、形状、大きさのものを採用することができる。
【図面の簡単な説明】
【００１９】
【図１】通信ケーブル２０を単体で示す平面図である。
【図２】収納体３の一例を単体で示す斜視図である。
【図３】収納体３の一例を単体で、下面部側から見た図である。
【図４】収納体３の一例を単体で、上面部側から見た図である。
【図５】通信ケーブル収納用ストラップ１の一例を、収納体３の下面部４０が見えるように示した斜視図である。
【図６】通信ケーブル収納用ストラップ１の一例を、収納体３の上面部３０が見えるように示した斜視図である。
【図７】通信ケーブル収納用ストラップ１の図６に示した状態を、第１、第２のコネクタ収納部及び第１、第２の穴が見えるようにした断面図である。
【図８】通信ケーブル収納用ストラップ１の一例を、収納体３の上面部３０が見えるように示した斜視図である。
【図９】通信ケーブル収納用ストラップ１の一例を、収納体３の上面部３０が見えるように示した斜視図である。
【図１０】図９に示した状態において、第１、第２のコネクタ収納部が見えるように、収納体３を下面部４０側から示す図である。
【図１１】図９に示した状態において、第１、第２のコネクタ収納部から第１、第２の穴に向けて通信ケーブル２０が挿入された状態を、収納体３を上面部３０側から示す図である。
【図１２】通信ケーブル収納用ストラップ１の一例を、収納体３の上面部３０が見えるように示した斜視図である。
【図１３】通信ケーブル収納用ストラップ１の図１２に示した状態を、第１、第２のコネクタ収納部及び第１、第２の穴が見えるようにした断面図である。
【図１４】通信ケーブル収納用ストラップ１に通信ケーブル２０を収納した状態を、第１、第２のコネクタ収納部及び第１、第２の穴が見えるようにした断面図である。
【図１５】図１２、図１３に示した状態において、第１、第２のコネクタ収納部が見えるように、収納体３を下面部４０側から示す斜視図である。図中の矢印は、通信ケーブル収納用ストラップに収納した通信ケーブル２０を取り出すため、コネクタの角度を変えるためにいったん外に出す動作を示す。
【図１６】図１２、図１３に示した状態において、第１、第２のコネクタ収納部が見えるように、収納体を下面部４０側から示す斜視図である。図中の矢印は、通信ケーブル収納用ストラップに収納した通信ケーブル２０を取り出すため、コネクタの角度を変えて、第２のコネクタ２２が第２の穴３２を通せるようにした動作を示す。
【図１７】通信ケーブル収納用ストラップに通信ケーブル２０を収納した、図１４、図１５に示した状態において、第１、第２のコネクタ収納部が見えるように、収納体３を下面部４０側から示す図である。
【図１８】通信ケーブル収納用ストラップに通信ケーブル２０を収納した、図１４、図１５に示した状態において、収納体３を上面部３０側から示す図である。
【図１９】図８に示した状態において、第１、第２の穴が見えるように、収納体３を上面部３０側から示す斜視図である。図中の矢印は、通信ケーブル収納用ストラップに収納した通信ケーブル２０を取り出すため、第２のコネクタ２２を第２の穴３２ら外に出した動作を示す。
【符号の説明】
【００２０】
１  通信ケーブル収納用ストラップ
２  通信ケーブル
２０  ケーブル
２１  第１のコネクタ
２２  第２のコネクタ
２２ａ  長辺
２２ｂ  短辺
３  収納体
３０  上面部
３１  第１の穴
３２  第２の穴
４０  下面部
４１  第１のコネクタ収納部
４２  第２のコネクタ収納部
４３  コネクタ保持部
【発明を実施するための形態】
【００２１】
以下、本発明の実施の形態について、図面を参照しつつ詳細に説明する。
本発明の通信ケーブル収納用ストラップ１は、通信ケーブル２と収納体３とから構成されたものである。
通信ケーブル２は、携帯電話機器と電子機器とを接続するためのものであって、電源をとる機能、データ通信をする機能など、各種機能を備えたものが想定される。通信ケーブルの両端には、それぞれにコネクタが設けられ、コネクタの種類、形状などに本発明は限定されない。
電子機器は、パーソナルコンピュータ、各種のタブレット端末などが主として想定され、携帯電子機器は、携帯電話、スマートフォン、その他の携帯情報機器やタブレット端末などが主として想定される。
携帯電子機器と電子機器とを接続するケーブル２０の両端には、第１のコネクタ２１、及び第２のコネクタ２２が備えられている。
図１は、通信ケーブル２０を単体で示す平面図である。
【００２２】
次に、本発明の通信ケーブル収納用ストラップ１が備える収納体3について説明する。
図２は、収納体３の一例を単体で示す斜視図である。
収納体３は、第１のコネクタ２１、及び通信ケーブル２０を通す第１の穴３１及び第２の穴３２を備えている。
収納体３は、第１のコネクタ２１及び第２のコネクタ２２を収納するものである。
好ましくは、収納体３は、少なくとも第１のコネクタ収納部４１、および第２のコネクタ収納部４２において、第１及び第２のコネクタが保持し固定されるように、弾性体からなるものである。弾性体は、シリコンゴム、その他のゴム、発砲ウレタン、軟質プラスチックなどである。これにより、衝撃を吸収し、コネクタが収納時において保護されるとともに、コネクタの保持・固定状態をより確実にするものである。
本発明の通信ケーブル収納用ストラップは、携帯電子機器と電子機器とを接続するケーブルを、両端に設けられたコネクタを保護しつつ収納した時に、ケーブル２０自体がそのままストラップ紐として使用できるため、収納体３には様々な材質、形状、大きさのものを採用することができ、収納体３をたとえばキャラクターグッズなどとして形成したり、他の機能をさらに持たせた物としたりして、様々な商品に応用することもできる。
【００２３】
図３は、収納体３の一例を単体で、下面部側から見た図である。
図４は、収納体３の一例を単体で、上面部側から見た図である。
収納体が備える第１の穴は、収納体３の上面部３０に設けられ、下面部４０に向けて貫通しているが、下面部４０側においては第１の穴３１に連結して、前記収納体の下面部４０に第１のコネクタを収納する第１のコネクタ収納部４１が形成されている。
【００２４】
図３において、第１のコネクタ収納部４１の内側に点線で示した線は、第１のコネクタ収納部４１と、第１の穴３１とが、収納体３内部において連結している境界部分を示す。
第１の穴３１は、ケーブル２０が通されるとともに、第１のコネクタ３２を通すことが不可能な断面形状に形成されており、第１のコネクタ３２は第１のコネクタ収納部にすっぽりと入るが、そこに連結して繋がっている第１の穴３１の断面はコネクタの断面より狭い、あるいは細い、あるいはコネクタの突起等が引っかかるために、穴を通すことができないようになっている。
第１の穴３１は、通信ケーブルが通されるとともに、第１のコネク３１は、収納体上面３０側からケーブル２０を引っ張った際に、第１のコネクタ収納部４１に収納され固定される。
【００２５】
収納体３が備える第２の穴３２は収納体３の上面部３０に設けられ、下面部４０に向けて貫通しているが、下面部４０側においては第２の穴３２に連結して、前記収納体３の下面部４０に第２のコネクタ２２を収納する第２のコネクタ収納部４２が形成されている。
第２の穴３２は、ケーブル２０が通されるとともに、第２のコネクタ２２を通すことが可能なように、第２のコネクタ２２の断面形状に対応した断面形状に形成されるとともに、前記収納体の下面部４０に第２のコネクタ収納部４２が形成されている。
【００２６】
第２の穴３２は第２のコネクタ２２を通すことが可能である一方、コネクタ収納時には、そのままではコネクタが穴からすっぽりと抜けてしまう。
このため、収納時には、第２のコネクタ２２が前記第２の穴３２を通ることなく、収納体上面３０側からケーブル２０を引っ張った際に、コネクタが収納され固定されるようにする必要がある。
そこで第２のコネクタ収納部４２には、収納時において第２のコネクタ２２を通すことが不可能な断面形状を有するコネクタ保持部４３が設けられている。
コネクタ保持部の形状、構造、保持・固定方法には、各種の方法を採用することができる。
図３において、点線は第２のコネクタ収納部４２と第２の穴４１とが収納体３内部において連結している境界部分を示す。
図３において、第２の穴３２は、第２のコネクタ２２を第２のコネクタ収納部４２にまで通すことが可能なように、コネクタが通る断面形状、太さにされている一方、コネクタ収納時には、コネクタの断面より狭い、あるいは細い、あるいはコネクタの突起等が引っかかるために、第２の穴３２を通すことができないようにするために、コネクタの角度を変えて保持・固定するための、点線の外側のコネクタ保持部４３が設けられている。
好ましくは、コネクタ保持部４３は、第２のコネクタ収納部４２に第２のコネクタ２２を収納する際に、第２のコネクタ２２の角度を変えて短辺と長辺との位置を変化させることにより、第２の穴に第２のコネクタ２２を通すことを不可能にするとともに、第２のコネクタ２２の形状に対応して収納時に固定されるように形成されている。
【００２７】
図５は、通信ケーブル収納用ストラップ１の一例を、収納体３の下面部４０が見えるように示した斜視図である。
図６は、通信ケーブル収納用ストラップ１の一例を、収納体３の上面部３０が見えるように示した斜視図である。
図７は、通信ケーブル収納用ストラップ１の図６に示した状態を、第１、第２のコネクタ収納部及び第１、第２の穴が見えるようにした断面図である。
図８は、通信ケーブル収納用ストラップ１の一例を、収納体３の上面部３０が見えるように示した斜視図である。
図９は、通信ケーブル収納用ストラップ１の一例を、収納体３の上面部３０が見えるように示した斜視図である。
【００２８】
本発明の通信ケーブル収納用ストラップ１を、通信ケーブルとして使用する図５、図６、図７に示される状態から、ケーブルを収納するまでの、作業手順について説明する。
図８、図９に示されるように、第１の穴３１に通された通信ケーブル先端の第２のコネクタ２２側を、収納体上面３０から第２の穴３２に通す。
図１０は、図９に示した状態において、第１、第２のコネクタ収納部が見えるように、収納体３を下面部４０側から示す図である。
図１１は、図９に示した状態において、第１、第２のコネクタ収納部から第１、第２の穴に向けて通信ケーブル２０が挿入された状態を、収納体３を上面部３０側から示す図である。
【００２９】
次いで収納体上面３０から挿入した第２のコネクタ２２を、収納体下面４０に形成された第２のコネクタ収納部４２に収納する。この時、コネクタ保持部４３としてコネクタの角度を変えて保持・固定する方式を採用した場合には、下記の手順を経る。
図８、図９に示されるように、第２のコネクタ２２側を第２の穴３２に通した後、第２のコネクタ２２を収納体下面４０からいったん外に出し、図１２、図１３に示される状態となる。
図１２は、通信ケーブル収納用ストラップ１の一例を、収納体３の上面部３０が見えるように示した斜視図である。
図１３は、通信ケーブル収納用ストラップ１の図１２に示した状態を、第１、第２のコネクタ収納部及び第１、第２の穴が見えるようにした断面図である。
この状態で、第２のコネクタ２２の角度を変えて、好ましくは各図に示されるように角度を９０度変えて、コネクタの短辺と長辺との位置を変化させ、次いで収納体上面側からケーブルを引っ張ることにより、図１４に示されるように、第２のコネクタ２２が、第２のコネクタ収納部４２に設けられたコネクタ保持部４３に収納時に固定される。
【００３０】
図１４は、通信ケーブル収納用ストラップ１に通信ケーブル２０を収納した状態を、第１、第２のコネクタ収納部及び第１、第２の穴が見えるようにした断面図である。
また、収納体下面４０に形成された第１のコネクタ収納部４１に、第１のコネクタ２１を収納する。第１のコネクタ収納部４１は、コネクタの形状そのままに形成されているので、角度を変えること等は必要とせず、また第１のコネクタは穴を通すことができないので、そのまま上面部３０側からケーブル２０を引っ張ればすっぽりと収納され固定される。
【００３１】
なお、通信ケーブル収納用ストラップは、本発明の第１コネクタ及び第２のコネクタが各コネクタ収納部に固定され、収納体に通信ケーブルが収納された状態で、収納体の上面部から輪状になった通信ケーブルをストラップ紐として使用可能であるが、たとえばカバンの手提げなどのリング状の箇所に取り付けて吊り下げる場合には、上記のケーブル収納作業をする際に、輪状になった通信ケーブルを手提げなどのリング状の箇所に通して吊り下げるようにすればよい。
【００３２】
本発明の通信ケーブル収納用ストラップ１を、図１４に示すケーブルを収納した状態から、通信ケーブルとして使用する図５、図６、図７に示される状態にするまでの作業手順は、上記の手順に逆をやればよい。
図１５は、図１２、図１３に示した状態において、第１、第２のコネクタ収納部が見えるように、収納体３を下面部４０側から示す斜視図である。
ケーブルを収納した状態から、図１５中に示す矢印のように、第２のコネクタ２２の角度を変えるために、いったん収納体の下面部４０側から外に出す。
図１７は、通信ケーブル収納用ストラップに通信ケーブル２０を収納した、図１４、図１５に示した状態において、第１、第２のコネクタ収納部が見えるように、収納体３を下面部４０側から示す図である。
図１８は、通信ケーブル収納用ストラップに通信ケーブル２０を収納した、図１４、図１５に示した状態において、収納体３を上面部３０側から示す図である。
図１７、図１８に示す状態の時には、第２のコネクタ２２は、第２の穴３２を通すことができない。
【００３３】
次いで、第２のコネクタ２２の角度を変え、コネクタが第２の穴を通すことが可能な状態にする。
図１６は、第１、第２のコネクタ収納部が見えるように、収納体を下面部４０側から示す斜視図である。図中の矢印は、通信ケーブル収納用ストラップに収納した通信ケーブル２０を取り出すため、コネクタの角度を変えて、第２のコネクタ２２が第２の穴３２を通せるようにした動作を示す。
これで、第２のコネクタ２２は第２の穴３２を通すことができるようになったので、ケーブル２０を上面部３０側から引っ張ることにより、第２のコネクタを外に出して、図１２、図１３に示した状態にすることができる。
図１９は、第１、第２の穴が見えるように、収納体３を上面部３０側から示す斜視図である。図中の矢印は、通信ケーブル収納用ストラップに収納した通信ケーブル２０を取り出すため、第２のコネクタ２２を第２の穴３２ら外に出した動作を示す。
【００３４】
なお、この状態において、第２のコネクタ２２を、第１の穴３１に通すことができるようにした場合には、収納体３と通信ケーブル２とを分離することができるが、どちらかを紛失等するおそれもある。
第２のコネクタ２２は、第２の穴３２は通すことができるが、第１の穴３１を通すことは不可能なように、第１の穴の断面形状を形成しておけば、収納体３と通信ケーブル２とを分離することができずが、どちらかを紛失等することを防止することができる。
以上説明したように、本発明の通信ケーブル収納用ストラップによれば、携帯電話機器と電子機器とを接続するケーブルを、両端に設けられたコネクタを保護しつつ収納するとともに、通信ケーブルを使用しないときにはストラップ紐として使用でき、置き忘れたりしないように携行することができる。
【図２】
2016182200.tif 000003
【図３】
2016182200.tif 000004
【図４】
2016182200.tif 000005
【図８】
2016182200.tif 000006
【図９】
2016182200.tif 000007
【図１０】
2016182200.tif 000008
【図１１】
2016182200.tif 000009
【図１２】
2016182200.tif 000010
【図１３】
2016182200.tif 000011
【図１４】
2016182200.tif 000012
【図１７】
2016182200.tif 000013
【図１８】
2016182200.tif 000014
【図１】
2016182200.tif 000015
【図５】
2016182200.tif 000016
【図６】
2016182200.tif 000017
【図７】
2016182200.tif 000018
【図１５】
2016182200.tif 000019
【図１６】
2016182200.tif 000020
【図１９】
2016182200.tif 000021